(57)【要約】【課題】簡単な構造で差込プラグを引き抜き易くする。【解決手段】ハウジング１、２に、差込プラグの雄型接触片の横断面より一回り大きい長方形断面形状の差込孔１１を貫通し、ハウジング１、２内に、差込プラグの雄型接触片を挟む雌型接触片８を設けた。差込プラグを差し込むと、差込プラグの雄型接触片の根元側が差込孔１１に嵌合して雄型接触片の先端側が雌型接触片８に挟み込まれる。差込孔１１は、差込プラグの差し込み方向から見たときの長手方向の長さを増加させることなく、長手方向の両側の側面を、差込プラグの差し込み方向から同じ側にかつ長手方向の一方側に傾けて傾斜面１２、１３にした。差込孔に差し込んだ差込プラグを差込孔の傾斜面１２、１３と同じ向きに傾けると、差込プラグの雄型接触片が雌型接触片８に挟まれる面積が減少する、又は、差込プラグの雄型接触片が雌型接触片８から抜け出る。【選択図】  図３
2004241278.tif 000002
【特許請求の範囲】
【請求項１】
ハウジングに、差込プラグの雄型接触片の横断面より一回り大きい長方形断面形状の差込孔を貫通し、ハウジングの内側に、差込プラグの雄型接触片をその両側から挟む雌型接触片を設け、差込プラグを差込孔に差し込むと、差込プラグの雄型接触片の根元側が差込孔に嵌合して雄型接触片の先端側が雌型接触片に挟み込まれる構成にした電線の雄雌嵌合式接続器において、
ハウジングの差込孔は、差込プラグの差し込み方向から見たときの長手方向の長さを増加させることなく、長手方向の両側の側面を、差込プラグの差し込み方向から同じ側にかつ長手方向の一方側に傾けて傾斜面にし、
差込孔に差し込んだ差込プラグを差込孔の傾斜面と同じ向きに傾けると、差込プラグの雄型接触片が雌型接触片に挟まれる面積が減少して又は差込プラグの雄型接触片が雌型接触片から抜け出て、差込プラグが引き抜き易くなる構成にしたことを特徴とする雄雌嵌合式接続器。
【請求項２】
ハウジングの外側に、ハウジング内側の雌型接触片と電気的に接続した雄型接触片を突出したことを特徴とする請求項１に記載の雄雌嵌合式接続器。
【請求項３】
ハウジングの外側に、ハウジング内側の雌型接触片と電気的に接続したコードを引き出したことを特徴とする請求項１に記載の雄雌嵌合式接続器。
【発明の詳細な説明】
【０００１】
【発明の属する技術分野】
本発明は、電線の雄雌嵌合式接続器において、差込プラグを引き抜き易くする技術に関する。
【０００２】
【従来の技術】
特許文献１は、プラグをコンセントから小さい力で外すため、コンセントにおいて、プラグを差し込む穴を従来品におけるのより長手方向に広げることを開示している。長手方向に広げたコンセントの穴に差し込んだプラグは、穴の長手方向に倒すと、コンセントの穴から簡単にとれる、とのことである。
【０００３】
【特許文献１】
実開昭６２−７３４８５号公報
【０００４】
【発明が解決しようとする課題】
ところが、特許文献１は、コンセントの内部構造、雌型接触片については、開示していない。
【０００５】
コンセントにおいては、長方形状の差込孔を従来の通常品におけるのより長手方向に拡大すると、差込孔の拡大部分、端の部分に差込プラグを差し込んだ場合でも、差込孔の非拡大部分、中央部分、即ち、従来の通常品におけるのと同じ位置に差込プラグを差し込んだ場合と同様に、差込プラグの雄型接触片とコンセントの雌型接触片とが所定の面積ないし力で接触しなければならない。換言すると、そのように接触させるための機構が必要になる。従来の通常品にはない構造が多く必要になる。
【０００６】
従って、差込プラグを引き抜き易くするために、構造が複雑になる。実用化し難い。
【０００７】
【課題を解決するための手段】
１）ハウジングに、差込プラグの雄型接触片の横断面より一回り大きい長方形断面形状の差込孔を貫通し、ハウジングの内側に、差込プラグの雄型接触片をその両側から挟む雌型接触片を設け、差込プラグを差込孔に差し込むと、差込プラグの雄型接触片の根元側が差込孔に嵌合して雄型接触片の先端側が雌型接触片に挟み込まれる構成にした電線の雄雌嵌合式接続器において、
ハウジングの差込孔は、差込プラグの差し込み方向から見たときの長手方向の長さを増加させることなく、長手方向の両側の側面を、差込プラグの差し込み方向から同じ側にかつ長手方向の一方側に傾けて傾斜面にし、
差込孔に差し込んだ差込プラグを差込孔の傾斜面と同じ向きに傾けると、差込プラグの雄型接触片が雌型接触片に挟まれる面積が減少して又は差込プラグの雄型接触片が雌型接触片から抜け出て、差込プラグが引き抜き易くなる構成にした。
【０００８】
２）上記の電線の雄雌嵌合式接続器において、
ハウジングの外側に、ハウジング内側の雌型接触片と電気的に接続した雄型接触片を突出した。
【０００９】
３）上記１）の電線の雄雌嵌合式接続器において、
ハウジングの外側に、ハウジング内側の雌型接触片と電気的に接続したコードを引き出した。
【００１０】
【発明の効果】
本発明の電線の雄雌嵌合式接続器においては、差込孔の両側の側面を傾斜面にする簡単な構造で、差込プラグが引き抜き易くなる。差込プラグを引き抜き易くするために、構造が複雑にならない。実用的である。
【００１１】
【発明の実施の形態】
［第１例（図１〜図８参照）］
本例の電線の雄雌嵌合式接続器は、図１〜図４に示すように、１対の雄型接触片６と１対の雌型接触片８を備えている。家庭用の単相低圧電源、交流１００Ｖの電源側のコンセントと家庭用の電気器具、例えばテレビ受像機側の差込プラグとの間に使用する。
【００１２】
この接続器は、下側ハウジング１と上側ハウジング２をネジ３で結合して直方体形状の箱を構成している。下側ハウジング１と上側ハウジング２は、殻構造であり、電気絶縁性合成樹脂の成形品である。
【００１３】
下側ハウジング１は、下側壁の前部上に１対の取付座４を設け、左右の両取付座４の上に、それぞれ、導電部材５の前端と雄型接触片６の基端とを重ねてネジ７で固定している。導電部材５と雄型接触片６は、帯状金属板であり、電気的に接続している。
【００１４】
雄型接触片６は、固定用の基端と接触用の刃部分とを９０度分ねじ曲げ、基端を下側ハウジング１の下側壁と平行に、刃部分を下側ハウジング１の下側壁と直角に配置している。雄型接触片６の長方形金属板の刃部分は、下側ハウジング１と上側ハウジング２の前側壁を貫通し、ハウジング１、２の外に突出している。箱形状ハウジング１、２の長方形状の前面には、一対の雄型接触片６の刃部分が左右に並列して前方に突出している。
【００１５】
導電部材５の後端は、左右からそれぞれ接触片８を立ち上げている。左右の両接触片８の上部は、近接して並列し、かつ、雄型接触片６の刃部分と平行に、即ち、前後方向に沿って下側ハウジング１の下側壁と直角に配置して、雌型接触片８の刃受け部分にしている。この雌型接触片８の刃受け部分は、差込プラグの雄型接触片が挟み込まれる部分であり、下側ハウジング１と上側ハウジング２の後側壁と対面する側が入口になり、入口側に２枚の案内片９を外開き状に突出している。左右の両案内片９、左右の両接触片８と導電部材５は、一連に連結した金属板である。雌型接触片８と雄型接触片６は、電気的に接続している。箱形状ハウジング１、２の後部内には、１対の雌型接触片８が左右に並列して設けられている。
【００１６】
箱形状ハウジング１、２の後側壁には、１対の縦長の差込孔１１を、１対の雌型接触片８の刃受け部分と対面する左右位置に、それぞれ、前後方向に沿って貫通している。差込孔１１は、差込プラグの雄型接触片の長方形横断面より一回り大きい長方形断面形状である。また、差込孔１１は、箱形状ハウジング１、２の後側壁の外面側、入口側の開口縁を面取りし、入口側の半分を角錐面にしている。
【００１７】
差込プラグの一対の雄型接触片を箱形状ハウジング１、２の後方位置から前方向に１対の差込孔１１に差し込むと、差込プラグの各雄型接触片の根元側が各差込孔１１に嵌合して各雄型接触片の先端側が各雌型接触片８に挟み込まれる。
【００１８】
差込孔１１は、更に、図３と図４に示すように、出口側の半分の下側面を、差込プラグの差し込み方向、前方向に進むに従って下降する前下りの傾斜面１２にしている。また、出口側半分と入口側半分、全部の上側面を、差込プラグの引き抜き方向、後方向に進むに従って上昇する後上りの傾斜面１３にしている。下側面の傾斜面１２と上側面の傾斜面１３は、前後方向から下側に、前下りに、即ち、差込プラグの差し込み方向から同じ側にかつ差込孔１１の長手方向の一方側に傾いている。
【００１９】
図５は、下側面の傾斜面１２と上側面の傾斜面１３がない従来の通常品における差込孔を示している。図６は、図５の従来差込孔の図中に下側面の傾斜面１２と上側面の傾斜面１３を鎖線で示している。これらの図からも明らかなように、下側面の傾斜面１２は、その後端、最上端の上下位置が傾斜面１２のない従来の通常品におけるのと同じである。上側面の傾斜面１３は、その前端、最下端の上下位置が傾斜面１３のない従来の通常品におけるのと同じである。従って、差込孔１１は、傾斜面１２と傾斜面１３を設けたが、差込プラグの差し込み方向から見たときの縦方向、長手方向の長さが不変であり、増加していない。
【００２０】
本例の接続器を使用する場合、接続器の箱形状ハウジング１、２の前側に突出する左右１対の雄型接触片６は、家屋の壁に埋設した単相低圧電源のコンセントに開口する左右１対の差込孔に差し込む。すると、コンセントに内蔵された左右１対の雌型接触片と接続器の左右１対の雄型接触片６とが、それぞれ、所定の面積ないし力で接触する。接続器は、雄型接触片６と雌型接触片８が単相低圧電源に接続される。
【００２１】
箱形状ハウジング１、２の後側面に開口する左右１対の差込孔１１には、家庭用電気器具のコードの先端に接続した差込プラグ２１の左右１対の雄型接触片２２を箱形状ハウジング１、２の後方位置から前方向に差し込む。すると、図７に示すように、差込プラグ２１のハウジングの前側面が箱形状ハウジング１、２の後側面に当り、差込プラグ２１のハウジングの前側に突出する左右１対の雄型接触片２２は、それぞれ、根元側が差込孔１１に嵌合して先端側が雌型接触片８に挟み込まれる。差込プラグ２１の各雄型接触片２２と箱形状ハウジング１、２内の各雌型接触片８とが、それぞれ、所定の面積ないし力で接触する。家庭用電気器具の差込プラグ２１の雄型接触片２２は、本例の接続器を介して単相低圧電源に接続される。
【００２２】
差込プラグ２１を引き抜くときは、差込プラグ２１のハウジングの後端を片手の指で持ち上げる。すると、差込プラグ２１は、図８に示すように、ハウジングの前側面の上端が箱形状ハウジング１、２の後側面に当り、その上端を中心にして回転しつつ後退し、差込孔１１の傾斜面１２、傾斜面１３と同じ向きに前下りに傾く。
【００２３】
差込プラグ２１がその様に傾くと、差込プラグ２１の雄型接触片２２の先端側が後下側に移動し、差込プラグ２１の雄型接触片２２が箱形状ハウジング１、２内の雌型接触片８に挟まれる面積が減少する、又は、差込プラグ２１の雄型接触片２２が箱形状ハウジング１、２内の雌型接触片８から抜け出る。従って、差込プラグ２１は、引き抜き易くなる。片手で摘んで簡単に引き抜かれる。
【００２４】
［第２例（図９〜図１２参照）］
本例の電線の雄雌嵌合式接続器は、図９と図１０に示すように、３個口のタップであり、３対の雌型接触片３８、４６、５１、コード３５とその先端に接続した図示しない差込プラグを備えている。家庭用の単相低圧電源側のコンセントと家庭用の電気器具、例えば電熱器側の差込プラグとの間に使用する。
【００２５】
この接続器、タップは、電気絶縁性合成樹脂成形品の下側ハウジング３１と上側ハウジング３２をネジで結合して直方体形状の箱を構成している。
【００２６】
下側ハウジング３１は、下側壁の中央部上に１対の取付座３３を設け、左右の両取付座３３の上に、それぞれ、金属板の導電部材３４の中央部とコード３５の電線端３６とを重ねてネジ３７で固定している。２本の電線を内蔵したコード３５は、箱形状ハウジング３１、３２の前側壁を貫通し、ハウジング３１、３２の外に引き出している。コード３５の先端には、図示しない差込プラグを接続している。
【００２７】
左右の両導電部材３４の後端には、それぞれ、第１例における案内片９付き雌型接触片８と同様に、案内片３９付き第１雌型接触片３８を設けている。また、箱形状ハウジング３１、３２の後側壁には、第１例における１対の傾斜面１２、１３付き差込孔１１と同様に、１対の傾斜面４２、４３付き第１差込孔４１を設けている。
【００２８】
更に、両導電部材３４の前端には、１対の案内片３９付き第１雌型接触片３８と同様に、１対の案内片４７付き第２雌型接触片４６を、差込プラグの差し込み方向を上下方向にして設けている。また、上側ハウジング３２の上側壁には、１対の傾斜面４２、４３付き第１差込孔４１と同様に、１対の傾斜面４９、５０付き第２差込孔４８を、差込プラグの差し込み方向を上下方向にして設けている。
【００２９】
両導電部材３４の後端の前側位置には、１対の案内片４７付き第２雌型接触片４６と同様に、１対の案内片５２付き第３雌型接触片５１を設けている。また、上側ハウジング３２の上側壁には、１対の傾斜面４９、５０付き第２差込孔４８と同様に、１対の傾斜面５４、５５付き第３差込孔５３を設けている。
【００３０】
コード３５の電線、第１雌型接触片３８、第２雌型接触片４６と第３雌型接触片５１は、電気的に接続している。
【００３１】
本例の接続器を使用する場合、接続器のコード３５先端の図示しない差込プラグは、家屋の壁に埋設した単相低圧電源のコンセントに差し込む。すると、接続器は、第１雌型接触片３８、第２雌型接触片４６と第３雌型接触片５１が単相低圧電源に接続される。
【００３２】
箱形状ハウジング３１、３２の後側面に開口する第１差込孔４１には、家庭用電気器具のコード先端に接続した差込プラグの雄型接触片を、第１例におけるのと同様に、箱形状ハウジング３１、３２の後方位置から前方向に差し込む。すると、差込プラグの雄型接触片は、第１例におけるのと同様に、先端側が第１雌型接触片３８に挟み込まれる。差込プラグの雄型接触片と第１雌型接触片３８とが所定の面積ないし力で接触する。家庭用電気器具の差込プラグは、本例の接続器を介して単相低圧電源に接続される。
【００３３】
家庭用電気器具の差込プラグを引き抜くときは、第１例におけるのと同様に、差込プラグを手で前下りに傾ける。すると、差込プラグの雄型接触片が第１雌型接触片３８に挟まれる面積が減少する、又は、差込プラグの雄型接触片が第１雌型接触片３８から抜け出る。差込プラグは、引き抜き易くなる。
【００３４】
箱形状ハウジング３１、３２の上側面に開口する第３差込孔５３には、図１１に示すように、家庭用電気器具の差込プラグ２１の雄型接触片２２を、箱形状ハウジング３１、３２の上方位置から下方向に差し込む。すると、差込プラグの雄型接触片は、第１差込孔４１に差し込んだときと同様に、先端側が第３雌型接触片５１に挟み込まれる。差込プラグの雄型接触片と第３雌型接触片５１とが所定の面積ないし力で接触する。
【００３５】
家庭用電気器具の差込プラグを引き抜くときは、図１２に示すように、差込プラグを、手で前側に倒して、第３差込孔５３の傾斜面５４、５５と同じ向きに前上りに傾ける。すると、差込プラグの雄型接触片が第３雌型接触片５１に挟まれる面積が減少する、又は、差込プラグの雄型接触片が第３雌型接触片５１から抜け出る。差込プラグは、引き抜き易くなる。
【００３６】
第２差込孔４８には、家庭用電気器具の差込プラグの雄型接触片を、第３差込孔５３に差し込んだときと同様に、箱形状ハウジング３１、３２の上方位置から下方向に差し込む。すると、差込プラグの雄型接触片は、第３差込孔５３に差し込んだときと同様に、先端側が第２雌型接触片４６に挟み込まれる。差込プラグの雄型接触片と第２雌型接触片４６とが所定の面積ないし力で接触する。
【００３７】
家庭用電気器具の差込プラグを引き抜くときは、差込プラグを、手で後側に倒して、第２差込孔４８の傾斜面４９、５０と同じ向きに前下りに傾ける。すると、差込プラグの雄型接触片が第２雌型接触片４６に挟まれる面積が減少する、又は、差込プラグの雄型接触片が第２雌型接触片４６から抜け出る。差込プラグは、引き抜き易くなる。
【図面の簡単な説明】
【図１】本発明の実施形態の第１例における電線の雄雌嵌合式接続器の斜視図。
【図２】同接続器の上側ハウジングを取り外した状態の平面図。
【図３】図１のＡ−Ａ線断面図。
【図４】同接続器の一部破断背面図。
【図５】従来の通常品における差込孔の図で、（ａ）は正面図、（ｂ）は縦断面図。
【図６】図５の従来図中に同接続器の差込孔の傾斜面を鎖線で示した図で、（ａ）は正面図、（ｂ）は縦断面図。
【図７】同接続器の差込孔に差込プラグを差し込んだ状態の部分図で、図３と同じ断面図。
【図８】同接続器の差込孔に差し込んだ差込プラグを傾けた状態の部分図で、図３と同じ断面図。
【図９】実施形態の第２例における電線の雄雌嵌合式接続器の上側ハウジングを取り外した状態の平面図。
【図１０】図９のＢ−Ｂ線断面図。
【図１１】同接続器の差込孔に差込プラグを差し込んだ状態の図で、図１０と同じ断面図。
【図１２】同接続器の差込孔に差し込んだ差込プラグを傾けた状態の図で、図１０と同じ断面図。
【符号の説明】
１、３１  下側ハウジング
２、３２  上側ハウジング
３  ネジ
４、３３  取付座
５、３４  導電部材
６  雄型接触片
７、３７  ネジ
８  接触片、雌型接触片
９  案内片
１１  差込孔
１２  差込孔の下側面の傾斜面
１３  差込孔の上側面の傾斜面
２１  家庭用電気器具の差込プラグ
２２  差込プラグの雄型接触片
３５  コード
３６  コードの電線端
３８  第１雌型接触片
３９  第１雌型接触片の案内片
４１  第１差込孔
４２、４３  第１差込孔の傾斜面
４６  第２雌型接触片
４７  第２雌型接触片の案内片
４８  第２差込孔
４９、５０  第２差込孔の傾斜面
５１  第３雌型接触片
５２  第３雌型接触片の案内片
５３  第３差込孔
５４、５５  第３差込孔の傾斜面
【図１】
2004241278.tif 000003
【図２】
2004241278.tif 000004
【図３】
2004241278.tif 000005
【図４】
2004241278.tif 000006
【図５】
2004241278.tif 000007
【図６】
2004241278.tif 000008
【図７】
2004241278.tif 000009
【図８】
2004241278.tif 000010
【図９】
2004241278.tif 000011
【図１０】
2004241278.tif 000012
【図１１】
2004241278.tif 000013
【図１２】
2004241278.tif 000014